(57)【要約】【課題】構成材料にイオン交換樹脂を含み、そのイオン交換樹脂が水分を含んだ状態で凍結した場合においても破損しにくいことを特徴とするイオン交換フィルター用繊維を提供する。【解決手段】粒状のイオン交換樹脂１０が疎水性樹脂製の基材５４に埋没しており、埋没しているイオン交換樹脂１０のうち少なくとも一部は表面に露出しているイオン交換フィルター用繊維５０。【選択図】図２
2008019530.tif 000002
【特許請求の範囲】
【請求項１】
粒状のイオン交換樹脂が疎水性樹脂製の基材に埋没しており、
前記イオン交換樹脂のうち少なくとも一部は表面に露出していることを特徴とするイオン交換フィルター用繊維。
【請求項２】
請求項１に記載のイオン交換フィルター用繊維であって、
前記イオン交換樹脂は、粒径が５μｍ以上１０μｍ以下であることを特徴とするイオン交換フィルター用繊維。
【請求項３】
請求項１または請求項２に記載のイオン交換フィルター用繊維であって、
繊維径は、２０μｍ以上５０μｍ以下であることを特徴とするイオン交換フィルター用繊維。
【請求項４】
請求項１から請求項３のうちいずれか１項に記載のイオン交換フィルター用繊維であって、
前記基材である疎水性樹脂は、ポリプロピレンであることを特徴とするイオン交換フィルター用繊維。
【請求項５】
疎水性樹脂製の芯材と、前記芯材の表面に形成されたイオン交換性樹脂製の被膜と、を備えることを特徴とするイオン交換フィルター用繊維。
【請求項６】
請求項５に記載のイオン交換フィルター用繊維であって、
前記被膜は、厚さが２μｍ以上５μｍ以下であることを特徴とするイオン交換フィルター用繊維。
【請求項７】
請求項５または請求項６に記載のイオン交換フィルター用繊維であって、
前記芯材は、繊維径が１０μｍ以上５０μｍ以下であることを特徴とするイオン交換フィルター用繊維。
【請求項８】
請求項５から請求項７のうちいずれか１項に記載のイオン交換フィルター用繊維であって、
前記芯材を構成する疎水性樹脂は、ポリプロピレンであることを特徴とするイオン交換フィルター用繊維。
【請求項９】
イオン交換樹脂製であって、
繊維径は、５μｍ以上２０μｍ以下であることを特徴とするイオン交換フィルター用繊維。
【発明の詳細な説明】
【技術分野】
【０００１】
本発明は、不織布に成形することにより、溶液中の特定イオンを捕捉するとともに、ダストを捕捉することができるイオン交換フィルターとして好適に用いることができるイオン交換フィルター用繊維に係る。
【背景技術】
【０００２】
イオン交換樹脂としては、例えば、ポリスチレンに架橋剤であるジビニルベンゼンを加えて得られるスチレン−ジビニルベンゼン共重合体を骨格とするものが広く知られている。このような骨格は、ポリスチレンにジビニルベンゼンが架橋し、その架橋により立体構造が制御された立体網目状となっている。イオン交換樹脂は、このような骨格にイオン交換基を付与し、骨格の表面にイオン交換基を結合させることにより形成される。したがって、イオン交換樹脂は、骨格で区画された立体網目状の空間の表面および内部にイオン交換基を備えている。イオン交換樹脂は、骨格が立体網目状であるから、その内部に水を吸収することができる。したがって、イオン交換樹脂は、表面のイオン交換基によってイオン交換可能であるとともに、内部のイオン交換基によってもイオン交換可能となっており、効率よく水中のイオンを捕捉することができる。このような性質を利用し、イオン交換樹脂は、一般に粒状に成形され、カラムやモジュール等に充填されてフィルターを構成し、水質浄化、各種溶液の精製などを目的として種々の産業分野で幅広く利用されている。
【０００３】
しかしながら、イオン交換樹脂は、その内部に水を吸収する性質を有するため、吸収した水が凍結した場合には、水の体積膨張により生じる応力により、破損する可能性がある。このような問題点を解決するために、例えば、特許文献１には、粒状のイオン交換樹脂がカラムに充填されたフィルターにおいて、凍結に伴う体積増加をカラムの形状により緩和する方法が開示されている。この方法は、凍結時にイオン交換樹脂間に隙間を生じさせることにより、イオン交換樹脂の体積増加を許容するものであり、イオン交換樹脂の体積膨張自体を抑制するものではなかった。
【０００４】
一方、フィルターにイオン交換樹脂を用いる方法としては、粒状のイオン交換樹脂をカラム等に充填して用いる他に、例えば、特許文献２には、不織布のフィルターの表面に微粒子状のイオン交換樹脂を接着する方法が開示されている。しかしながら、このフィルターにおいて、イオン交換樹脂は、繊維に埋没しておらず、単に不織布を構成する繊維の表面に付着しているにすぎないため、凍結時のイオン交換樹脂の体積増膨張が抑制されない。したがって、凍結時にイオン交換樹脂が破損しやすく、イオン除去効率が低下したり、イオン交換樹脂が脱落して下流側へ流出する恐れがある。また、特許文献３には、繊維状のイオン交換樹脂が用いられたフィルターが開示されている。このフィルターにおいて、他の構成材料と均一に混合することを目的とし、繊維状のイオン交換樹脂の長さが０．１〜５ｍｍと規定されている。しかしながら、繊維径については何ら示唆されておらず、繊維径が太い場合には凍結時の体積増加が大きくなり、破損する可能性が大きい。
【０００５】
【特許文献１】特開２００４−２３０２１５号公報
【特許文献２】特開平１１−３００３６４号公報
【特許文献３】特開２００３−１０６１４号公報
【発明の開示】
【発明が解決しようとする課題】
【０００６】
本発明は、上記の背景技術に鑑みてなされたものであり、構成材料にイオン交換樹脂を含み、そのイオン交換樹脂が水分を含んだ状態で凍結した場合においても破損しにくいことを特徴とするイオン交換フィルター用繊維を提供することを課題とした。
【課題を解決するための手段】
【０００７】
第１の発明は、粒状のイオン交換樹脂が疎水性樹脂製の基材に埋没しており、前記イオン交換樹脂のうち少なくとも一部は表面に露出していることを特徴とするイオン交換フィルター用繊維である。第１の発明のイオン交換フィルター用繊維は、イオン交換樹脂が基材に埋没しているが、埋没しているイオン交換樹脂のうちの少なくとも一部は表面に露出しているためイオン交換可能である。イオン交換樹脂が基材に埋没して包まれていることにより、イオン交換樹脂内で水分が凍結しても、基材がイオン交換樹脂の膨張を抑制して破損を防ぐことができる。
【０００８】
第２の発明は、第１の発明に記載のイオン交換樹脂フィルターであって、前記イオン交換樹脂は、粒径が５μｍ以上１０μｍ以下であることを特徴とするイオン交換フィルター用繊維である。第２の発明のイオン交換フィルター用繊維によれば、イオン交換樹脂は、１０μｍ以下の微粒子状であり、イオン交換樹脂内で水分が凍結しても体積変化が小さく、より破損しにくい。また、イオン交換樹脂の粒径が５μｍ以上であることにより、イオン交換樹脂が基材内部で離間せず、互いに水分を受け渡すことができ、効率よくイオン交換可能である。
【０００９】
第３の発明は、第１または第２の発明に記載のイオン交換樹脂フィルターであって、繊維径は、２０μｍ以上５０μｍ以下であることを特徴とするイオン交換フィルター用繊維である。第３の発明のイオン交換フィルター用繊維は、繊維径が２０μｍ以上であることにより、フィルターに成形したとき、適度なこしがあり形状が安定する。また、繊維径が５０μｍ以下であることにより、単位重量あたりの表面積が大きく、効率よくイオン交換可能である。
【００１０】
第４の発明は、第１から第３の発明のうちいずれか１項に記載のイオン交換樹脂フィルターであって、前記基材である疎水性樹脂は、ポリプロピレンであることを特徴とするイオン交換フィルター用繊維である。第４の発明のイオン交換フィルター用繊維は、基材がポリプロピレン製であるため、耐酸性・耐アルカリ性および耐熱性に優れる。
【００１１】
第５の発明は、疎水性樹脂製の芯材と、前記芯材の表面に形成されたイオン交換性樹脂製の被膜と、を備えることを特徴とするイオン交換フィルター用繊維である。第５の発明のイオン交換フィルター用繊維は、イオン交換樹脂が薄い膜状であるため、イオン交換樹脂内で水分が凍結しても体積変化が小さく破損しにくい。また、イオン交換樹脂が繊維表面に被膜として配置されているため効率よくイオン交換可能である。
【００１２】
第６の発明は、第５の発明に記載のイオン交換フィルター用繊維であって、前記被膜は、厚さが２μｍ以上５μｍ以下であることを特徴とするイオン交換フィルター用繊維である。第６の発明のイオン交換フィルター用繊維は、イオン交換樹脂製の被膜が厚さ５μｍ以下の薄膜であるため内部で水分が凍結しても体積変化が小さいので破損しにくく、２μｍ以上であるため、十分なイオン交換量を有する。
【００１３】
第７の発明は、第５または第６の発明に記載のイオン交換フィルター用繊維であって、前記芯材は、繊維径が１０μｍ以上５０μｍ以下であることを特徴とするイオン交換フィルター用繊維である。第７の発明のイオン交換フィルター用繊維は、芯材の繊維径が１０μｍ以上であることにより、フィルターを成形すると、適度なこしがあり形状が安定する。また、芯材の繊維径が５０μｍ以下であることにより、単位重量あたりの表面積が大きく、効率よくイオン交換可能である。
【００１４】
第８の発明は、第５から第７発明のうちいずれか１項に記載のイオン交換フィルター用繊維であって、前記芯材を構成する疎水性樹脂は、ポリプロピレンであることを特徴とするイオン交換フィルター用繊維である。第８の発明のイオン交換フィルター用繊維は、芯材がポリプロピレン製であり、耐酸性・耐アルカリ性および耐熱性に優れる。
【００１５】
第９の発明は、イオン交換樹脂製であって、繊維径は、５μｍ以上２０μｍ以下であることを特徴とするイオン交換フィルター用繊維である。第９の発明のイオン交換フィルター用繊維は、イオン交換樹脂製であって、その繊維径が２０μｍ以下と細いため、内部で溶液が凍結しても体積変化が小さく破損しにくい。また、繊維径が５μｍ以上であるから、フィルターを成形するのに十分な強度を有する。
【発明の効果】
【００１６】
本発明によれば、イオン交換樹脂が水分を含んだ状態で凍結した場合においても破損しにくいイオン交換フィルター用繊維を提供することができる。
【発明を実施するための最良の形態】
【００１７】
本発明に係るイオン交換フィルター用繊維（以下、単に繊維と記載することがある）は、その構成材料にイオン交換樹脂を含むイオン交換可能な繊維であり、特に、不織布に成形することにより、溶液中の特定イオンを捕捉して除去するとともに、ダストを捕捉することができるイオン交換フィルターとして好適に用いることができる繊維である。
【００１８】
図１に、粒状のイオン交換樹脂を模式的に示した。イオン交換樹脂１０は、一般に骨格となる立体網目状の疎水性樹脂２０を有し、その疎水性樹脂２０の表面にイオン交換基３０を保持している。すなわち、イオン交換樹脂１０は、疎水性樹脂２０により区画された立体網目状の空間の内部および外表面において、イオン交換基３０備えている。本明細書においては、以下、この骨格となる立体網目状の疎水性樹脂２０を「基体」と記載する。イオン交換樹脂１０は、その基体２０が立体網目状となっているため、液体が内部へ浸透することができる。したがって、イオン交換樹脂１０は、捕捉対象となるイオン４０を含む溶液等（以下、単に溶液と記載する。）を内部に吸収することにより、外表面に固定されたイオン交換基３０ａのみでなく、内部に固定されたイオン交換基３０ｂによってもイオン交換可能となっている。それにより、図１に示すように、イオン交換樹脂１０は、その外表面および内部において、イオン４０を捕捉することができる。
【００１９】
イオン交換樹脂１０の基体２０を構成する立体網目状の疎水性樹脂としては、スチレン−ジビニルベンゼン共重合体、アクリル酸−ジビニルベンゼン共重合体、メタアクリル酸−ジビニルベンゼン共重合体、フェノール−ホルムアルデヒド共重合体などを用いることができる。これらは、従来公知の方法により得ることができる。なお、基体２０は、一般に母体と称されることもある。
【００２０】
イオン交換基３０としては、具体的には、スルホン酸基、カルボキシル基、フェノール性ヒドロキシル基などの酸性基、または４級アンモニウム塩基、置換アミノ基などの塩基性基が挙げられ、捕捉対象となるイオン４０の性質により選択することができる。
【００２１】
以下、本発明を実施するための最良の形態について、具体的な実施形態を挙げ、詳細に説明する。
【００２２】
［第１の実施形態］
図２（Ａ）は第１の実施形態に係るイオン交換フィルター用繊維の斜視図であり、図２（Ｂ）は、図２（Ａ）のイオン交換フィルター用繊維の径方向の断面を一部拡大して示している。
図２（Ａ）および図２（Ｂ）に示すように、第１の実施形態に係るイオン交換フィルター用繊維５０は、粒状のイオン交換樹脂１０が疎水性樹脂製の基材５４に埋没しており、そのうち一部のイオン交換樹脂１０が表面に露出していることを特徴とする。すなわち、繊維５０は、粒状のイオン交換樹脂１０が基材５４に練りこまれた形態となっている。
【００２３】
図２（Ｂ）に示すように、第１の実施形態に係る繊維５０において、イオン交換樹脂１０は疎水性の基材５４に練りこまれて埋没しているが、そのうち一部のイオン交換樹脂１０は繊維５０の表面に露出しているので、溶液は当該露出部からイオン交換樹脂１０の内部へ浸透することができる。繊維５０において、溶液は、まず表面に露出したイオン交換樹脂１０ａの内部に取り込まれ、次いで基材５４の内部に埋没している隣接するイオン交換樹脂１０ｂの内部に受け渡されることとなる。したがって、繊維５０は、表面に露出したイオン交換樹脂１０ａのみならず、基材５４の内部に埋没しているイオン交換樹脂１０ｂにおいてもイオン交換可能となっている。
【００２４】
第１の実施形態に係る繊維５０において、粒状のイオン交換樹脂１０は基材５４に埋没している。言い換えれば、粒状のイオン交換樹脂１０は基材５４に包まれている。それにより、溶液がイオン交換樹脂１０内で凍結した場合も、基材５４がイオン交換樹脂１０の膨張を抑制し、イオン交換樹脂１０の破損を防ぐことができる。また、イオン交換樹脂１０が基材５４に埋め込まれて固定されているため、フィルターを成形した場合には、イオン交換樹脂１０が繊維５０から脱落しにくく、通水によりイオン交換樹脂１０が下流側へ流出するのを防ぐことができる。
【００２５】
イオン交換樹脂１０の粒径は、５μｍ以上１０μｍ以下とするのが好ましい。イオン交換樹脂がこのような微粒子状であると、イオン交換樹脂１０内で溶液が凍結しても体積変化が小さく、イオン交換樹脂１０の破損をより低減させることができる。
【００２６】
また、イオン交換樹脂１０の粒径が大きいほど、繊維断面に占めるイオン交換樹脂１０の面積が大きくなるが、イオン交換樹脂１０は基材５４に比べて強度が低いため、イオン交換樹脂１０が損傷した場合には、その損傷部から繊維５０が断裂しやすくなる。フィルターを成形した場合には、繊維５０が断裂することにより、イオン交換樹脂１０が脱落して下流側へ流出する恐れもある。イオン交換樹脂１０を１０μｍ以下の微粒子状とすれば、基材５４の強度により繊維５０が断裂するのを防ぐことができ、繊維５０自体の強度を高く保つことができ、イオン交換樹脂１０の脱落を防ぐことができる。
【００２７】
一方、イオン交換樹脂１０の粒径が５μｍより小さい場合は、基材５４の内部においてイオン交換樹脂１０が離間しやすくなる。繊維５０においては、表面に露出したイオン交換樹脂１０ａが溶液を取り込み、基材５４内に埋没した隣接するイオン交換樹脂１０ｂに受け渡す。しかしながら、イオン交換樹脂１０ａとイオン交換樹脂１０ｂとが基材５４の内部において離間していると、相互に溶液を受け渡すことができない。その結果、表面に露出したイオン交換樹脂１０ａのみしか溶液を取り込むことができず、基材５４の内部に埋没したイオン交換樹脂１０ｂには溶液が達しない。このような場合、繊維５０の単位量あたりのイオン交換量が著しく低下することとなる。
【００２８】
したがって、イオン交換樹脂１０の粒径を５μｍ以上１０μｍ以下とすることにより、イオン交換樹脂１０の内部で溶液が凍結してもイオン交換樹脂１０が破損しにくいだけでなく、効率よくイオン交換可能であり、且つ、強度の高い繊維とすることができる。
【００２９】
繊維５０の繊維径は２０μｍ以上５０μｍ以下とするのが好ましい。繊維径が２０μｍ未満である場合は、フィルターを成形してもこしが低くなりやすく、フィルターの形状を保持しにくくなる可能性がある。また、繊維径が５０μｍより大きい場合、繊維単位重量あたりの表面積が小さくなり、イオン除去効率が低下しやすくなる。繊維径を２０μｍ以上５０μｍ以下とすると、イオン除去効率に優れ、形状の安定したフィルターを成形することができる。
【００３０】
イオン交換樹脂１０の粒径および繊維５０の繊維径は、粒径が５μｍ以上１０μｍであり、且つ、繊維径が２０μｍ以上５０μｍ以下であると、より好ましい。繊維径が２０μｍ以上５０μｍ以下であるのに対し、イオン交換樹脂１０の粒径が１０μｍを超えると、イオン交換樹脂１０の粒径が繊維径の半分を超える場合がある。この場合、繊維５０に荷重がかかるとイオン交換樹脂１０の部分から断裂しやすくなり、イオン交換樹脂１０が脱落する可能性がある。また、繊維径が２０μｍ以上５０μｍ以下であるのに対し、イオン交換樹脂１０の粒径が５μｍ未満であると、繊維表面に露出するイオン交換樹脂１０が少なくなるとともに、基材５４の内部でイオン交換樹脂１０同士が離間しやすくなり、効率よくイオン交換できなくなる可能性があり好ましくない。
【００３１】
繊維５０は、基材５４とイオン交換樹脂１０との体積比を変化させることにより、強度およびイオン交換量を制御することができる。基材：イオン交換樹脂（体積比）は、８０：２０から２０：８０の範囲以内とするのが好ましい。基材５４の割合を高くするほど、繊維５０の強度は高くなる。しかしながら、この範囲を超えて基材５４の割合を高くすると、繊維５０のイオン交換量を十分に確保することができない可能性がある。また、イオン交換樹脂１０の割合を高くするほど、繊維５０のイオン交換量は増加する。しかしながら、この範囲を超えてイオン交換樹脂１０の割合を高くすると、繊維５０の強度が低下し断裂しやすくなる。
【００３２】
基材５４としては、ポリプロピレン、ポリエチレン、ポリアクリロニトリル、ポリエチレンテレフタレートあるいはポリブチレンテレフタレート等のポリエステル樹脂、６ナイロンあるいは６６ナイロン等のポリアミド樹脂、ポリ塩化ビニル、ポリ塩化ビニリデン、ポリウレタンなど、種々の熱可塑性の疎水性樹脂を用いることができる。中でも、ポリプロピレンを用いれば、耐酸性、耐アルカリ性、耐熱性、耐加水分解性に優れ、かつ引張強さの高い耐久性に優れた繊維５０を得ることができ、より好ましい。また、イオン交換樹脂１０は、イオン交換基３０の種類によっては、イオン交換樹脂１０自体がｐＨ２未満の強酸性あるいはｐＨ１１を超える強塩基性であるが、基材５４として耐酸性・耐アルカリ性に優れるポリプロピレンを用いれば、イオン交換樹脂５２がどのような種類であっても引張強さの高い耐久性に優れた繊維５０を得ることができる。なお、基材５４には、可塑剤、熱安定剤、酸化防止剤などの樹脂成形一般に用いられる添加剤を加えてもよい。
【００３３】
第１の実施形態に係る繊維５０は、粒状のイオン交換樹脂１０を基材５４となる疎水性樹脂に練り込むことにより得られる。すなわち、基材５４となる疎水性樹脂を加熱溶融し、その際に粒状のイオン交換樹脂１０を添加混合して紡糸して得ることができる。このとき用いるイオン交換樹脂１０は、従来公知の製法により得られるものでよく、粒状の立体網目状の基体２０にイオン交換基３０が結合したものである。繊維５０の紡糸方法は特に限定されるものではなく、遠心紡糸法、押出紡糸法等の種々の紡糸法を用いることができ、得られた繊維をさらに延伸してもよい。また、繊維５０を紡糸するのに連続して、不織布を成形してもよい。例えば、紡糸された繊維５０を積層し、加熱ロールで加圧することにより繊維同士を熱融着させるいわゆるスパンボンド法によって、不織布を成形することができる。
【００３４】
また、第１の実施形態に係る繊維５０は、上記の方法以外に以下の方法により得ることもできる。まず、基材５４となる疎水性樹脂を加熱溶融し、その際に粒状の立体網目状の基体２０を添加混合し、紡糸して基体２０の練りこまれた繊維を得る。次に基体２０にイオン交換基３０を付与する。基体２０にイオン交換基３０が結合することにより、イオン交換樹脂１０が形成され、イオン交換樹脂１０の練りこまれた繊維５０を得ることができる。繊維に練りこまれた基体２０にイオン交換基３０を付与するには、従来公知のイオン交換樹脂の製法においてイオン交換基を基体に付与する方法を適用することができる。
【００３５】
例えば、基体２０がスチレン−ジビニルベンゼン共重合体からなり、イオン交換基３０としてスルホン酸基を保持したイオン交換樹脂１０が、ポリプロピレン製の基材４０に練りこまれた繊維５０を得る場合は、まず、ポリプロピレンを加熱溶融する際に粒状のスチレン−ジビニルベンゼン共重合体を添加混合し、紡糸する。得られた繊維に濃硫酸を接触させることにより、スチレン−ジビニルベンゼン共重合体にスルホン酸基を付与する。このとき、濃硫酸が繊維表面に露出したスチレン−ジビニルベンゼン共重合体から、ポリプロピレンに埋没した隣接する他のスチレンジビニルベンゼン共重合体に浸透するため、ポリプロピレンに埋没したスチレン−ジビニルベンゼン共重合体にもスルホン酸基を付与することができる。
【００３６】
従来公知のイオン交換樹脂の中には、耐熱性が十分でなく、疎水性樹脂（基材５４）の溶融温度において不安定なものもある。しかしながら、この方法によれば、イオン交換基３０を付与する前の耐熱性を有する基体２０を疎水性樹脂（基材５４）に練りこむため、熱影響を考慮することなく練りこむことができる。また、基体２０の練りこまれた繊維を紡糸するのに連続して、スパンボンド法等により不織布を成形し、その不織布において基体２０にイオン交換基３０を付与してもよい。
【００３７】
［第２の実施形態］
図３（Ａ）は、第２の実施形態に係るイオン交換フィルター用繊維の斜視図であり、図３（Ｂ）は、図３（Ａ）のイオン交換フィルター用繊維の径方向の断面を一部拡大して示している。
図３（Ａ）および図３（Ｂ）に示すように、第２の実施形態に係るイオン交換フィルター用繊維６０は、粒状のイオン交換樹脂１０が疎水性樹脂の基材６４に埋没しており、イオン交換樹脂１０のすべてが繊維６０の表面に露出していることを特徴とする。すなわち、繊維６０は、基材６４の表面に粒状のイオン交換樹脂１０が埋め込まれた形態となっている。第２の実施形態に係る繊維６０は、基材６４に粒状のイオン交換樹脂１０が埋没している点においては、第１の実施形態に係る繊維５０と共通しているが、イオン交換樹脂１０のすべてが繊維６０の表面に露出している点において第１の実施形態と相違している。
【００３８】
第２の実施形態に係る繊維６０は、イオン交換樹脂１０が疎水性樹脂製の基材６４に埋め込まれた形態となっている。それにより、イオン交換樹脂１０内で溶液が凍結した場合も、基材６４がイオン交換樹脂１０の膨張を抑制し、イオン交換樹脂１０の破損を防ぐことができる。また、イオン交換樹脂１０が基材６４に埋め込まれて固定されているため、フィルターを成形した場合にも、イオン交換樹脂１０が繊維６０から脱落しにくく、通水によりイオン交換樹脂１０が下流側へ流出するのを防ぐことができる。さらに、第２の実施形態に係る繊維６０は、イオン交換樹脂１０のすべてが繊維６０の表面に露出しており溶液を直接取り込むことができる。したがって、効率よくイオン交換可能となっている。
【００３９】
第２の実施形態においては、第１の実施形態において用いられるイオン交換樹脂および基材を用いることができる。
【００４０】
第２の実施形態に係る繊維６０は、基材６４となる疎水性樹脂を加熱溶融して紡糸し、その繊維が冷えて硬化する前にイオン交換樹脂１０を繊維表面に埋め込むことにより得ることができる。このとき用いるイオン交換樹脂１０は、従来公知の製法により得られるものでよく、立体網目状の基体２０にイオン交換基３０が結合したものである。紡糸方法は特に限定されるものではなく、遠心紡糸法、押出紡糸法等の種々の紡糸法を用いることができ、得られた繊維をさらに延伸してもよい。
【００４１】
また、第２の実施形態に係る繊維６０は、上記の方法以外に以下のように得ることもできる。まず、基材６４となる疎水性樹脂を加熱溶融し、細孔から押出すことにより紡糸し、その繊維６０が冷えて硬化する前に網目状構造を有する粒状の基体２０を繊維表面に埋め込み、基体２０の埋め込まれた繊維を得る。次に基材６４に埋め込まれた基体２０にイオン交換基３０を付与する。基体２０にイオン交換基３０が結合することにより、イオン交換樹脂１０が形成され、イオン交換樹脂１０の埋め込まれた繊維を得ることができる。基体２０にイオン交換基３０を付与するには、第１の実施形態と同様に従来公知のイオン交換樹脂の製法においてイオン交換基を基体に付与する方法を用いることができる。また、第１の実施形態と同様に、基体２０の埋め込まれた繊維から不織布を成形し、その不織布において基体２０にイオン交換基３０を付与してもよい。
【００４２】
［第３の実施形態］
図４（Ａ）は、第３の実施形態に係るイオン交換フィルター用繊維の被膜を切り欠いて示す斜視図であり、図４（Ｂ）は、図４（Ａ）のイオン交換フィルター用繊維の径方向の断面を一部拡大して示している。
図４（Ａ）および図４（Ｂ）に示すように、第３の実施形態に係る繊維７０は、疎水性樹脂製の芯材７４の表面にイオン交換樹脂製の被膜７２を備えていることを特徴とする。
【００４３】
第３の実施形態に係る繊維７０において、被膜７２は、イオン交換樹脂製である。すなわち、被膜７２は、図示しないが、立体網目状の骨格（基体）を有し、その基体の表面および内部においてイオン交換基を備えている。したがって、被膜７２は、その内部に溶液を吸収することにより、表面に固定されたイオン交換基のみでなく、内部に固定されたイオン交換基によってもイオン交換可能となっている。
【００４４】
第３の実施形態に係る繊維７０においては、イオン交換樹脂が薄い膜状となっているため、イオン交換樹脂（被膜７２）の内部で溶液が凍結しても、イオン交換樹脂（被膜７２）の体積変化が小さく、破損しにくい。また、たとえイオン交換樹脂（被膜７２）の一部が芯材７４から剥離する、あるいは、亀裂が入るなど破損した場合であっても、イオン交換樹脂は、被膜７２として連なって芯材７４の表面を覆っているため、繊維７０から脱落しにくい。さらに、第３の実施形態に係る繊維７０は、イオン交換樹脂が被膜７２として繊維の表面に配置されているため、イオン交換反応の速度が速く、効率よくイオン交換可能となっている。
【００４５】
被膜７２の厚さは、２μｍ以上５μｍ以下とするのが好ましい。被膜７２の厚さが５μｍより厚い場合、被膜７２の内部で水分が凍結した場合の体積変化が大きくなり、破損しやすくなる。また、被膜７２の厚さが２μｍより薄い場合、十分なイオン交換量を確保することができない場合がある。したがって、被膜７２の厚さを２μｍ以上５μｍ以下にすることにより、より確実に凍結による破損を防ぎ、且つ、十分なイオン交換量を確保することができる。
【００４６】
芯材７４の直径は、１０μｍ以上５０μｍ以下とするのが好ましい。芯材７４の繊維径が１０μｍ以上であることにより、フィルターを成形すると、適度なこしがあり形状が安定する。また、芯材７４の繊維径が５０μｍ以下であることにより、単位重量あたりの表面積が大きく、効率よくイオン交換可能である。したがって、イオン除去効率に優れ、形状の安定したフィルターを成形することができる。
【００４７】
芯材７４としては、ポリプロピレン、ポリエチレン、ポリアクリロニトリル、ポリエチレンテレフタレートあるいはポリブチレンテレフタレート等のポリエステル樹脂、６ナイロンあるいは６６ナイロン等のポリアミド樹脂、ポリ塩化ビニル、ポリ塩化ビニリデン、ポリウレタンなど、種々の熱可塑性の疎水性樹脂を用いることができる。中でも、ポリプロピレンを用いれば、耐酸性、耐アルカリ性、耐熱性、耐加水分解性に優れ、かつ引張強度の高い耐久性に優れた繊維７０を得ることができ、より好ましい。
【００４８】
第３の実施形態に係る繊維７０は、以下のように得ることができる。まず、芯材７４となる疎水性樹脂製の繊維の表面に、イオン交換樹脂の骨格となる立体網目状の基体の被膜を形成する。次に、その基体にイオン交換基を付与する。基体にイオン交換樹脂が結合することにより、被膜がイオン交換樹脂となり、第３の実施形態に係る繊維７０を得ることができる。基体にイオン交換基を付与するには、従来公知のイオン交換樹脂の製法においてイオン交換基を基体に付与する方法を用いることができる。
【００４９】
［第４の実施の形態］
図５（Ａ）は、第４の実施形態に係るイオン交換フィルター用繊維の斜視図であり、図５（Ｂ）は、図５（Ａ）に示すイオン交換フィルター用繊維の径方向の断面を一部拡大して示している。
第４の実施形態に係る繊維８０は、イオン交換樹脂製であって、繊維径が５μｍ以上２０μｍ以下であることを特徴とする。繊維８０は、イオン交換樹脂製であるから、図示しないが、立体網目構造の骨格（基体）を有し、その基体の表面および内部においてイオン交換基を備えている。したがって、繊維８０は、表面に固定されたイオン交換基によってイオン交換可能であるとともに、その内部に溶液を吸収することにより、内部に固定されたイオン交換基によってもイオン交換可能となっている。
【００５０】
図５（Ａ）および図５（Ｂ）に示すように、第４の実施形態に係る繊維８０は、その全体がイオン交換樹脂製である。したがって、効率よくイオン交換可能であることは言うまでもない。繊維８０において、イオン交換樹脂は繊維８０そのものであり、繊維径が２０μｍ以下と細いため、内部で溶液が凍結しても体積変化が小さく破損しにくい。また、繊維径が５μｍ以上であるから、フィルターを成形するのに十分な強度を有する。
【００５１】
第４の実施形態に係る繊維８０は、イオン交換樹脂の基体となる立体網目状の疎水性樹脂を繊維状に成形し、その繊維にイオン交換基を付与することにより得られる。繊維にイオン交換基を付与する方法は、従来公知のイオン交換樹脂の製法においてイオン交換基を基体に付与する方法を用いることができる。
【００５２】
以上説明したように、本発明のイオン交換フィルター用繊維は、効率よくイオン交換可能であり、不織布に成形することにより、イオン交換フィルターとして好適に用いることができる。このイオン交換フィルターは、イオン交換反応により溶液中の特定のイオンを捕捉し除去するとともに、ダストを捕捉して除去することができる。さらに、溶液がイオン交換樹脂内で凍結した場合も体積変化が小さくイオン交換樹脂は破損しにくいため、不使用時に氷点下となる場所に設置して使用することが可能である。
【００５３】
本発明に係る繊維を不織布に成形する方法は特に限定されず、例えば、ニードルパンチ法、ケミカルボンド法、水流交絡法等の種々の成形方法を用いることができる。また、上記第１から第３の実施形態に係る繊維のように、基材５４、基材６４または芯材７４として熱可塑性の疎水性樹脂を含んでいる場合は、スパンボンド法、サーマルボンド法によって繊維同士を熱融着させて不織布を成形することも可能である。
【００５４】
不織布を成形した際、その目付は、例えば、５０ｇ／ｍ2以上５００ｇ／ｍ2以下とするのができる。目付が５０ｇ／ｍ2以下であると、イオン交換量が十分に確保されずイオン交換効率が劣ったり、ダスト保持量を十分に確保できない場合がある。また、目付が５００ｇ／ｍ2を超えると、不織布の組織が過密になりやすく、その結果、イオン交換効率およびダスト保持量が低下したり、これらと圧損との適切なバランスを保つことが困難となる場合がある。目付が５０ｇ／ｍ2以上５００ｇ／ｍ2以下の範囲で不織布を成形すれば、フィルターのイオン交換効率、ダスト保持量、圧損等を最適化することができる。
【００５５】
上記第１から第３の実施形態において、基材５４、基材６４または芯材７４としてポリプロピレンを用いた場合、その繊維によりフィルターを成形すると、特に耐久性に優れたフィルターを成形することが可能である。このように成形されたフィルターは、効率よくイオン交換可能で、且つ、イオン除去効率およびダスト保持量が優れるだけでなく、強度が高く、例えば、負圧５０ｋＰａ．ａｂｓ、正圧２５０ｋＰａ．ａｂｓが繰り返しかかる環境においても使用可能である。また、強酸性または強アルカリ性、且つ、高温環境下においても、強度劣化が少なく耐久性に優れる。
【００５６】
なお、本発明のイオン交換フィルター用繊維により成形されるフィルターの形態は、特に限定されるものではなく、カラム、モジュール等の種々の形態をとることができる。
【図面の簡単な説明】
【００５７】
【図１】粒状のイオン交換樹脂を模式的に示した図である。
【図２】（Ａ）は、第１の実施形態に係るイオン交換フィルター用繊維の斜視図であり、（Ｂ）は、図２（Ａ）に示すイオン交換フィルター用繊維の径方向の断面を一部拡大して示した図である。
【図３】（Ａ）は、第２の実施形態に係るイオン交換フィルター用繊維の斜視図であり、（Ｂ）は、図３（Ａ）に示すイオン交換フィルター用繊維の径方向の断面を一部拡大して示した図である。
【図４】（Ａ）は、第３の実施形態に係るイオン交換フィルター用繊維の被膜を切り欠いて示す斜視図であり、（Ｂ）は、図４（Ａ）に示すイオン交換フィルター用繊維の径方向の断面を一部拡大して示した図である。
【図５】（Ａ）は、第４の実施形態に係るイオン交換フィルター用繊維の斜視図であり、（Ｂ）は、図５（Ａ）に示すイオン交換フィルター用繊維の径方向の断面を一部拡大して示した図である。
【符号の説明】
【００５８】
１０  イオン交換樹脂
５０  第１の実施形態に係るイオン交換フィルター用繊維
５４  第１の実施形態に係るイオン交換フィルター用繊維の基材
６０  第２の実施形態に係るイオン交換フィルター用繊維
６４  第２の実施形態に係るイオン交換フィルター用繊維の基材
７０  第３の実施形態に係るイオン交換フィルター用繊維
７２  被膜
７４  芯材
８０  第４の実施形態に係るイオン交換フィルター用繊維
【図１】
2008019530.tif 000003
【図２】
2008019530.tif 000004
【図３】
2008019530.tif 000005
【図４】
2008019530.tif 000006
【図５】
2008019530.tif 000007